(57)【特許請求の範囲】
【請求項１】
足の踵に貼り付けられる可撓性のある踵パッドであって、
前記足の踵の底部の少なくとも外縁部に粘着するパッドベース部と、
前記パッドベース部に立ち上がるように形成され、前記足の踵の背部から両側部にかけて粘着する立ち上がり部と、を備えており、前記立ち上がり部の平面視形状が、後方向に向かって突出するアーチ形状に形成されており、前記立ち上がり部が靴の踵部の内壁に形成された窪みに引っ掛かるようになっていることを特徴とする踵パッド。
【請求項２】
外側面が非粘着性を有することを特徴とする請求項１に記載の踵パッド。
【請求項３】
外周面に非粘着性のあるフィルムが形成されていることを特徴とする請求項２に記載の踵パッド。
【請求項４】
少なくとも大部分が粘着性樹脂からなることを特徴とする請求項１から請求項３のうちのいずれか１項に記載の踵パッド。
【請求項５】
前記足の踵に伸縮性のある下地シートが粘着された状態で、前記下地シートを介して前記足の踵に粘着するように構成されていることを特徴とする請求項１から請求項４のうちのいずれか１項に記載の踵パッド。
【請求項６】
前記足の踵に伸縮性のあるカバーシートが粘着された状態で、前記カバーシートに覆われた状態で前記足の踵部に粘着するように構成されていることを特徴とする請求項１又は請求項４に記載の踵パッド。
【請求項７】
前記立ち上がり部の上縁部に上方に向かって徐々に薄くなるテーパ部が形成されていることを特徴とする請求項１から請求項６のうちのいずれか１項に記載の踵パッド。
【請求項８】
前記パッドベース部に切り欠きが形成されていることで、前記パッドベース部の平面視形状が後方に向かって突出するアーチ状になっていることを特徴とする請求項１から請求項７のうちのいずれか１項に記載の踵パッド。
【請求項９】
前記立ち上がり部の内側面又は外側面に貼り付け可能であって、可撓性のある調整パッドを備えていることを特徴とする請求項１から請求項８のうちのいずれか１項に記載の踵パッド。
【発明の詳細な説明】
【技術分野】
【０００１】
本発明は、足の踵に貼り付けられる可撓性のある踵パッドに関する。
【背景技術】
【０００２】
近年、通販の発達に伴い、靴を試着しないで購入するケースが増加している。また、靴メーカ側のコスト削減化により靴のサイズ設定が大まかになっており、足のサイズと靴のサイズを合わせるのが難しい状況になっている。その結果、足のサイズに合っていない靴を使用するケースが増加している。
【０００３】
靴のサイズ不適合より足の踵と靴の踵部の内壁の隙間が大きい場合には、その隙間を小さくするめに踵パッドが用いられる（特許文献１から特許文献４参照）。その踵パッドは、靴の踵部の内壁に接着剤によって貼り付けられる。
【先行技術文献】
【特許文献】
【０００４】
【特許文献１】特開２０１８−１１８０２４号公報
【特許文献２】特開２０１８−１１０６９２号公報
【特許文献３】実用新案登録第３００８２９３号公報
【特許文献４】実用新案登録第３１８３２７４号公報
【発明の概要】
【発明が解決しようとする課題】
【０００５】
ところで、通常、足の踵が靴下を介して靴の踵部に引っ掛かるように、靴の踵部の内壁には窪みが形成されている。靴の踵部の内壁に踵パッドを貼り付けると、靴の踵部の窪みを埋めることなる。そのため、足の踵が靴の踵部の内壁に引っ掛からなくなり、歩行の際に靴擦れが生じ易くなる。一方、靴擦れを解消するために、靴の内壁に踵パッドに加えて別のパッドを接着剤によって貼り付けると、靴の内部環境が足とって非常に窮屈になってしまう。
【０００６】
また、靴の内壁に踵パッド等のパッドを貼り付けると、使用者が靴を脱いだ時にパッドが靴の履き口から露呈されることになり、靴本来の見栄えが悪くなる。
【０００７】
そこで、本発明は、前述の問題を解決するために、靴本来の見栄えを維持しつつ、靴擦れを十分に防止できる、踵パッドを提供することを目的とする。
【課題を解決するための手段】
【０００８】
本実施態様に係る踵パッドは、足の踵に貼り付けられる可撓性のある踵パッドである。本実施態様に係る踵パッドは、前記足の踵の底部の少なくとも外縁部に粘着するパッドベース部と、前記パッドベース部に立ち上がるように形成され、前記足の踵の背部から両側部にかけて粘着する立ち上がり部と、を備えている。
【０００９】
本実施態様では、前記立ち上がり部は、靴の踵部の内壁に形成された窪みに引っ掛かるように構成されてもよい。また、本実施態様に係る踵パッドの外周面が非粘着性を有してもよい。この場合に、本実施態様に係る踵パッドの外周面に非粘着性のあるフィルム（外層）が形成されてもよい。
【００１０】
本実施態様に係る踵パッドの少なくとも大部分が粘着性樹脂からなってもよい。また、本実施態様に係る踵パッドは、前記足の踵に伸縮性のある下地シートが粘着された状態で前記下地シートを介して前記足の踵に粘着するように構成されてもよい。又は、本実施態様に係る踵パッドは、前記足の踵に伸縮性のあるカバーシートが粘着された状態で、前記カバーシートに覆われた状態で前記足の踵部に粘着するように構成されてもよい。
【００１１】
本実施態様に係る踵パッドにおいて、前記立ち上がり部の上縁部に上方（上側）に向かって徐々に薄くなるテーパ部が形成されてもよい。また、本実施態様に係る踵パッドは、透明、半透明、又は肌色に着色されてもよい。
【００１２】
本実施形態に係る踵パッドは、前記立ち上がり部の内側面又は外側面に貼り付け可能であって、可撓性のある調整パッドを備えてもよい。
【００１３】
本実施形態の構成によると、前述のように、前記踵パッドは、前記足の踵の底部の外縁部に粘着する前記パッドベース部と、前記足の踵の背部から両側部にかけて粘着する前記立ち上がり部とを備えている。そのため、前記足の踵に前記踵パッドを貼り付けることにより、前記足の踵の見かけの膨らみを前記踵パッドの厚み分だけ増大させることができる。その結果、前記足の踵が前記踵パッド及び前記靴下を介して前記靴の踵部の窪みに引っ掛かり易くなる。
【００１４】
前記踵パッドは、前記靴の踵部の内壁ではなく、前記足の踵に貼り付けられるため、使用者が前記靴を脱いだ時に、前記踵パッドが前記靴内に残ることはない。
【発明の効果】
【００１５】
本発明によれば、靴本来の見栄えを維持しつつ、靴擦れを十分に防止することができる。
【図面の簡単な説明】
【００１６】
【図１】図１は、第１実施形態に係る踵パッドが靴の踵部の窪みに靴下を介して引っ掛かる様子を示す図である。
【図２】図２（ａ）（ｂ）は、第１実施形態に係る踵パッドを足の踵に貼り付けた状態で、使用者が紳士靴を履いた様子を示す図である。図２（ａ）は、紳士靴の側面側から見た図であり、図２（ｂ）は、紳士靴の背面側から見た図である。
【図３】図３（ａ）（ｂ）は、第１実施形態に係る踵パッドを足の踵に貼り付けた状態で、使用者が婦人靴を履いた様子を示す図である。図３（ａ）は、婦人靴の側面側から見た図であり、図３（ｂ）は、婦人靴の背面側から見た図である。
【図４】図４（ａ）は、第１実施形態に係る踵パッドの側面図である。図４（ｂ）は、図４（ｃ）におけるI-I線に沿った断面図である。図４（ｃ）は、第１実施形態に係る踵パッドの背面図である。
【図５】図５（ａ）は、第１実施形態に係る踵パッドの平面図である。図５（ｂ）は、第１実施形態に係る踵パッドの斜視図である。
【図６】図６（ａ）は、第１実施形態の変形例１に係る踵パッドの平面図である。図６（ｂ）は、第１実施形態の変形例２に係る踵パッドの斜視図である。
【図７】図７（ａ）は、第１実施形態の変形例２に係る踵パッドを足の踵に貼り付けた状態を示す図である。図７（ｂ）は、第１実施形態の変形例３に係る踵パッドを足の踵に貼り付けた状態を示す図である。
【図８】図８は、第２実施形態に係る踵パッドが靴の踵部の窪みに靴下を介して引っ掛かる様子を示す図である。
【図９】図９（ａ）は、第２実施形態に係る調整パッドの側面図である。図９（ｂ）は、図９（ｃ）におけるII-II線に沿った断面図である。図９（ｃ）は、第２実施形態に係る調整パッドの背面図である。
【図１０】図１０（ａ）は、第２実施形態に係る調整パッドの平面図である。図１０（ｂ）は、第２実施形態に係る調整パッドの斜視図である。
【発明を実施するための形態】
【００１７】
以下、第１実施形態及び第２実施形態について図１から図１０を参照して説明する。
【００１８】
なお、本願の明細書及び特許請求の範囲において、「貼り付ける」とは、粘着剤の粘着作用又は接着材の接着作用によって貼り付けることの他に、踵パッドの自己粘着性によって貼り付けることを含む意である。「粘着する」とは、踵パッドの自己粘着性によって直接的に粘着することの他に、粘着剤の粘着作用によって粘着すること、下地シート又はカバーシート等の別部材を介して間接的に粘着することを含む意である。「靴下」とは、ストッキング、ソックス、及びタイツを含む意である。「踵パッドにおける内側面」とは、足の踵に粘着する側の面のことをいう。「踵パッドにおける外側面」とは、靴下に接触する側の面のことをいう。図面中において、「Ｆ」は前方向、「Ｒ］は後方向、「Ｕ」は上方向、「Ｄ」は下方向をそれぞれ指している。
【００１９】
（第１実施形態）
図１に示すように、第１実施形態に係る踵パッド１０は、可撓性を有しており、靴１２の踵部１２ｈの内壁ではなく、足Ｌの踵Ｈに貼り付けられる。踵パッド１０は、靴下１４の内側に配された状態で使用される。換言すれば、使用者は、足Ｌの踵Ｈに踵パッド１０を貼り付けた状態で、靴下１４を履き、その後、靴１２を履く。例えば、図２に示すように、使用者は、足Ｌの踵Ｈに踵パッド１０を貼り付けた状態で、靴下１４であるソックス１４Ａを履き、その後、靴１２である紳士靴１２Ａを履く。図３に示すように、使用者は、足Ｌの踵Ｈに踵パッド１０を貼り付けた状態で、靴下１４であるストッキング１４Ｂを履き、その後、靴１２である婦人靴１２Ｂを履く。
【００２０】
図１、図４、及び図５に示すように、踵パッド１０の外側面には、非粘着性のあるフィルム（外層）１０ｆが形成されており、フィルム１０ｆは、フッ素系又はケイ素系の非粘着性脂からなる。フィルム１０ｆを除く踵パッド１０の大部分は、粘着性樹脂からなり、踵パッド１０は、自己粘着性を有している。粘着性樹脂は、例えば、ウレタン、ポリエステル、シリコン、天然ゴム、合成ゴム、ポリエステル系エラストマー、ポリアミド系エラストマー、ポリイミド系エラストマー等の少なくともいずれから選択されるが、これらに限定されるものではない。踵パッド１０は、透明、半透明、又は肌色に着色されている。
【００２１】
なお、踵パッド１０の外側面にフィルム１０ｆが形成される代わりに、非粘着性のある粉体が付着されてもよい。換言すれば、踵パッド１０の外側面が非粘着性を有していれば、その手法は問わない。また、踵パッド１０が透明、半透明、又は肌色以外の色に着色されてもよい。
【００２２】
踵パッド１０は、パッドベース部１６をベースとして備えており、パッドベース部１６は、その自己粘着性によって足Ｌの踵Ｈの底部Ｈｂに自己粘着性によって粘着する。パッドベース部１６の外周面には、フィルム１０ｆの一部が形成されている。
【００２３】
踵パッド１０は、パッドベース部１６の外縁部に立ち上がるように形成された立ち上がり部１８を備えており、立ち上がり部１８は、その自己粘着性によって足Ｌの踵Ｈの背部Ｈｒから両側部Ｈｓにかけて粘着する。立ち上がり部１８の外周面には、フィルム１０ｆの一部が形成されており、立ち上がり部１８の平面視形状は、後方向に向かって突出するアーチ形状に形成されている。また、立ち上がり部１８の上縁部には、上方（上側）に向かって徐々に薄くなるテーパ部１８ｔが形成されている。立ち上がり部１８は、靴１２の踵部１２ｈの内壁に形成された窪み１２ｄに靴下１４を介して間接的に引っ掛かるように構成されている。
【００２４】
続いて、第１実施形態の作用効果について説明する。
【００２５】
前述のように、踵パッド１０は、足Ｌの踵Ｈの底部Ｈｂに粘着するパッドベース部１６と、足Ｌの踵Ｈの背部から両側部にかけて粘着する前記立ち上がり部とを備えている。立ち上がり部１８は、靴１２の踵部１２ｈの窪み１２ｄに靴下１４を介して間接的に引っ掛かるように構成されている。そのため、足Ｌの踵Ｈに踵パッド１０を貼り付けることにより、足Ｌの踵Ｈに対する踵パッド１０の追従性を十分に確保しつつ、足Ｌの踵Ｈの見かけの膨らみを踵パッド１０の厚み分だけ増大させることができる。その結果、足Ｌの踵Ｈが踵パッド１０及び靴下１４を介して靴１２の踵部１２ｈの窪み１２ｄに引っ掛かり易くなる。
【００２６】
踵パッド１０は、靴１２の踵部１２ｈの内壁ではなく、足Ｌの踵Ｈに貼り付けられるため、使用者が靴１２を脱いだ時に、踵パッド１０が靴１２内に残ることはない。
【００２７】
従って、第１実施形態によれば、靴１２の内部環境を足にとって窮屈にすることなく、靴１２本来の見栄えを維持しつつ、靴擦れを十分に防止して、快適な歩行を行うことができる。
【００２８】
また、前述のように、立ち上がり部１８の上縁部にテーパ部１８ｔが形成されている。そのため、本実施形態によれば、踵パッド１０による靴下１４の表面の段差が目立たなくなり、踵パッド１０の存在が第三者に気づかれにくくなる。特に、踵パッド１０が透明、半透明、又は肌色に着色されているため、その効果を高めることができる。
【００２９】
更に、踵パッド１０の外側面が非粘着性を有しているため、足Ｌの踵Ｈに踵パッド１０を貼り付けた状態でも、使用者が靴下１４を履き難くなることはない。
【００３０】
（第１実施形態の変形例１）
図６に示すように、第１実施形態の変形例１に係る踵パッド１０Ａは、一部を除き、第１実施形態に係る踵パッド１０（図１参照）と同様の構成を有している。踵パッド１０Ａの構成のうち、踵パッド１０の構成と異なる点についてのみ説明する。なお、踵パッド１０Ａの複数の構成要素のうち、踵パッド１０の構成要素と対応するものについては、図面中に同一符号を付している。
【００３１】
パッドベース部１６には、切欠１６ｎが形成されている。パッドベース部１６は、その自己粘着性によって足Ｌの踵Ｈの底部Ｈｂの外縁部にのみ粘着する。パッドベース部１６の平面視形状は、後方向に向かって突出するアーチ形状に形成されている。
【００３２】
従って、第１実施形態の変形例１によれば、前述の第１実施形態と同様の作用効果を奏する他に、踵パッド１０Ａの可撓性、及び足Ｌの踵Ｈに対する踵パッド１０Ａの追従性を高めて、より快適な歩行を行うことができる。
【００３３】
（第１実施形態の変形例２）
図７（ａ）に示すように、第１実施形態の変形例２に係る踵パッド１０Ｂは、一部を除き、第１実施形態に係る踵パッド１０（図１参照）と同様の構成を有している。踵パッド１０Ｂの構成のうち、踵パッド１０の構成と異なる点についてのみ説明する。なお、踵パッド１０Ｂの複数の構成要素のうち、踵パッド１０の構成要素と対応するものについては、図面中に同一符号を付している。
【００３４】
踵パッド１０Ｂは、足Ｌの踵Ｈに伸縮性のある下地シート２０が粘着された状態で、下地シート２０を介して足Ｌの踵Ｈに粘着するように構成されている。下地シート２０は、例えば、塩化ビニル等の合成樹脂からなり、下地シート２０の片面には、アクリル系粘着剤、シリコン系粘着剤、又はゴム系粘着剤等が塗布されている。下地シート２０は、肌色、透明、又は半透明に着色されている。
【００３５】
従って、第１実施形態の変形例２によれば、前述の第１実施形態と同様の作用効果を奏する他に、足Ｌの踵Ｈに対する踵パッド１０Ｂの粘着性及び追従性を高めて、より快適な歩行を行うことができる。
【００３６】
（第１実施形態の変形例３）
図７（ｂ）に示すように、第１実施形態の変形例３に係る踵パッド１０Ｃは、一部を除き、第１実施形態に係る踵パッド１０（図１参照）と同様の構成を有している。踵パッド１０Ｃの構成のうち、踵パッド１０の構成と異なる点についてのみ説明する。なお、踵パッド１０Ｃの複数の構成要素のうち、踵パッド１０の構成要素と対応するものについては、図面中に同一符号を付している。
【００３７】
踵パッド１０Ｃは、足Ｌの踵Ｈに伸縮性のあるカバーシート２２が粘着された状態で、カバーシート２２に覆われた状態で足Ｌの踵Ｈに粘着するように構成されている。カバーシート２２は、例えば、塩化ビニル等の合成樹脂からなり、カバーシート２２の片面には、アクリル系粘着剤、シリコン系粘着剤、又はゴム系粘着剤等が塗布されている。カバーシート２２は、肌色、透明、又は半透明に着色されている。
【００３８】
なお、踵パッド１０Ｃの大部分が粘着性樹脂以外の樹脂からなってもよい。また、踵パッド１０Ｃの全体ではなく、踵パッド１０Ｃの一部がカバーシート２２に覆われるようにしてもよい。
【００３９】
従って、第１実施形態の変形例３によれば、前述の第１実施形態と同様の作用効果を奏する他に、踵パッド１０Ｃの粘着性、及び足Ｌの踵Ｈに対する踵パッド１０Ｃの追従性を高めて、より快適な歩行を行うことができる。
【００４０】
（第２実施形態）
図８に示すように、第２実施形態に係る踵パッド２４は、第１実施形態に係る踵パッド１０（図１参照）と同様に、可撓性を有しており、靴１２の踵部１２ｈの内壁ではなく、足Ｌの踵Ｈに貼り付けられる。なお、踵パッド２４の複数の構成要素のうち、踵パッド１０の構成要素と対応するものについては、図面中に同一符号を付している。
【００４１】
踵パッド２４は、踵パッド１０の構成要素であるパッドベース部１６及び立ち上がり部１８に加えて、立ち上がり部１８の内側面に貼り付け可能な調整パッド２６を備えている。調整パッド２６は、踵パッド１０と同様に、粘着性樹脂からなり、立ち上がり部１８の内側面に粘着する。調整パッド２６の平面視形状は、後方向に向かって突出するアーチ形状に形成されている。調整パッド２６は、調整パッド２６の厚みは、例えば、１．０ｍｍ以上でかつ４．０ｍｍ以下に設定されている。
【００４２】
なお、調整パッド２６を立ち上がり部１８の内側面でなく外側面に貼り付け可能に構成してもよい。また、調整パッド２６の個数を単数でなく、複数にしてもよい。
【００４３】
従って、第２実施形態によれば、前述の第１実施形態と同様の作用効果を奏する他に、踵パッド２４のフィット感を高めて、より快適な歩行を行うことができる。
【００４４】
なお、本発明は、前述の第１実施形態（変形例１から変形例３を含む）及び第２実施形態の説明に限るものでなく、適宜の変更を行うことにより、その他、様々な態様で実施可能である。そして、本発明に包含される権利範囲は、前述の第１実施形態及び第２実施形態に限定されるものでない。
【符号の説明】
【００４５】
１０    踵パッド
１０ｆ  フィルム
１２    靴
１２Ａ  紳士靴（靴）
１２Ｂ  婦人靴（靴）
１２ｈ  踵部
１２ｄ  窪み
１４    靴下
１４Ａ  ソックス（靴下）
１４Ｂ  ストッキング（靴下）
１６    パッドベース部
１８    上がり部
１８ｔ  テーパ部
１０Ａ  踵パッド
１６ｎ  切欠
１０Ｂ  踵パッド
２０    下地シート
１０Ｃ  踵パッド
２２    カバーシート
２４    踵パッド
２６    調整パッド
Ｌ    足
Ｈ    踵
Ｈｂ  底部
Ｈｒ  背部
Ｈｓ  側部
【要約】
【課題】靴本来の見栄えを維持しつつ、靴擦れを十分に防止すること。
【解決手段】踵パッド１０は、足Ｌの踵Ｈに貼り付けられ、可撓性を有する。踵パッド１０は、足Ｌの踵Ｈの底部Ｈｂの少なくとも外縁部に粘着するパッドベース部１６と、パッドベース部１６に立ち上がるように形成されかつ足Ｌの踵Ｈの背部Ｈｒから両側部Ｈｓにかけて粘着する立ち上がり部１８とを備えている。立ち上がり部１８は、靴１２の踵部１２ｈの内壁に形成された窪み１２ｄに靴下１４を介して間接的に引っ掛かるように構成されている。
【選択図】図１【図１】
0006840414.tif 000002
【図２】
0006840414.tif 000003
【図３】
0006840414.tif 000004
【図４】
0006840414.tif 000005
【図５】
0006840414.tif 000006
【図６】
0006840414.tif 000007
【図７】
0006840414.tif 000008
【図８】
0006840414.tif 000009
【図９】
0006840414.tif 000010
【図１０】
0006840414.tif 000011